Podtech/llm-jp-corpus-v4-ja_patent huggingface dataset:
【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
遊技領域に対して遊技媒体が順次に発射される発射手段と、
閉状態と開状態との間で動作可能な開閉部材を有し、該開閉部材が開状態にあるとき、前記遊技領域のうちの特定の転動領域内にある遊技媒体を内部領域へと進入させる入賞口手段と、
前記入賞口手段の内部領域に進入した遊技媒体を、特定領域と一般領域とのいずれかに誘導するように所定の振分け動作が行われる振分動作手段と、
前記振分動作手段により前記特定領域へと遊技媒体が誘導されたことに基づき、遊技者に有利な遊技制御を実行可能な有利遊技制御手段と、
前記振分動作手段による所定の振分け動作に対し、前記特定領域へと遊技媒体が誘導されるように前記開閉部材の動作にかかる制御を行う当り開放制御手段と、
前記振分動作手段による所定の振分け動作に対し、前記一般領域へと遊技媒体が誘導されるように前記開閉部材の動作にかかる制御を行うハズレ開放制御手段と、
前記遊技領域に対して発射された遊技媒体を受け入れ可能な受入口と、
前記受入口に遊技媒体が受け入れられたことに基づいて抽選を行う抽選手段と、
前記抽選手段による抽選にて特定の結果が得られた場合、図柄の種別を決定し、該決定した図柄の種別に基づいて前記当り開放制御手段と前記ハズレ開放制御手段とのいずれかを用いて前記開閉部材を動作させる振分け図柄制御手段と、
前記決定された図柄の種別が前記当り開放制御手段と前記ハズレ開放制御手段とのうちの前記ハズレ開放制御手段を用いるものであったにもかかわらず前記特定領域への遊技媒体の誘導があったときに特定の態様で外部出力されるように制御する外部出力制御手段と
を備えることを特徴とする遊技機。
【手続補正２】
【補正対象書類名】明細書
【補正対象項目名】０００８
【補正方法】変更
【補正の内容】
【０００８】
手段１：遊技領域に対して遊技媒体が順次に発射される発射手段と、
閉状態と開状態との間で動作可能な開閉部材を有し、該開閉部材が開状態にあるとき、前記遊技領域のうちの特定の転動領域内にある遊技媒体を内部領域へと進入させる入賞口手段と、
前記入賞口手段の内部領域に進入した遊技媒体を、特定領域と一般領域とのいずれかに誘導するように所定の振分け動作が行われる振分動作手段と、
前記振分動作手段により前記特定領域へと遊技媒体が誘導されたことに基づき、遊技者に有利な遊技制御を実行可能な有利遊技制御手段と、
前記振分動作手段による所定の振分け動作に対し、前記特定領域へと遊技媒体が誘導されるように前記開閉部材の動作にかかる制御を行う当り開放制御手段と、
前記振分動作手段による所定の振分け動作に対し、前記一般領域へと遊技媒体が誘導されるように前記開閉部材の動作にかかる制御を行うハズレ開放制御手段と、
前記遊技領域に対して発射された遊技媒体を受け入れ可能な受入口と、
前記受入口に遊技媒体が受け入れられたことに基づいて抽選を行う抽選手段と、
前記抽選手段による抽選にて特定の結果が得られた場合、図柄の種別を決定し、該決定した図柄の種別に基づいて前記当り開放制御手段と前記ハズレ開放制御手段とのいずれかを用いて前記開閉部材を動作させる振分け図柄制御手段と、
前記決定された図柄の種別が前記当り開放制御手段と前記ハズレ開放制御手段とのうちの前記ハズレ開放制御手段を用いるものであったにもかかわらず前記特定領域への遊技媒体の誘導があったときに特定の態様で外部出力されるように制御する外部出力制御手段と
を備えることを特徴とする遊技機。
【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
遊技領域に対して遊技媒体が順次に発射される発射手段と、
閉状態と開状態との間で動作可能な開閉部材を有し、該開閉部材が開状態にあるとき、前記遊技領域のうちの特定の転動領域内にある遊技媒体を内部領域へと進入させる入賞口手段と、
前記入賞口手段の内部領域に進入した遊技媒体が特定領域に受け入れられたとき、遊技者に有利な遊技制御を実行可能な有利遊技制御手段と、
前記特定領域へ遊技媒体が進入可能な状態と進入不能な状態とに切り替える可動部材と、
前記入賞口手段は、
前記発射手段が遊技媒体を発射する発射間隔よりも短い時間において前記開閉部材を前記閉状態から前記開状態へ動作させた後に前記発射間隔よりも長い時間において前記開閉部材を前記開状態から前記閉状態へ動作させる動作を複数回実行する特殊開閉動作を実行可能であり、
前記特殊開閉動作を実行した場合、前記入賞口手段に予め定められている最大入賞数の遊技球を入球させることが可能であり、
前記特殊開閉動作を実行した場合、遊技媒体が前記特定領域に受け入れられるように前記可動部材を動作させるものの前記特殊開閉動作における最初の前記開閉部材を前記閉状態から前記開状態へ動作させた際に進入した遊技媒体については遊技媒体が前記特定領域に受け入れられないように前記可動部材を動作させる
ことを特徴とする遊技機。
【手続補正２】
【補正対象書類名】明細書
【補正対象項目名】０００７
【補正方法】変更
【補正の内容】
【０００７】
本発明は、
遊技領域に対して遊技媒体が順次に発射される発射手段と、
閉状態と開状態との間で動作可能な開閉部材を有し、該開閉部材が開状態にあるとき、前記遊技領域のうちの特定の転動領域内にある遊技媒体を内部領域へと進入させる入賞口手段と、
前記入賞口手段の内部領域に進入した遊技媒体が特定領域に受け入れられたとき、遊技者に有利な遊技制御を実行可能な有利遊技制御手段と、
前記特定領域へ遊技媒体が進入可能な状態と進入不能な状態とに切り替える可動部材と、
前記入賞口手段は、
前記発射手段が遊技媒体を発射する発射間隔よりも短い時間において前記開閉部材を前記閉状態から前記開状態へ動作させた後に前記発射間隔よりも長い時間において前記開閉部材を前記開状態から前記閉状態へ動作させる動作を複数回実行する特殊開閉動作を実行可能であり、
前記特殊開閉動作を実行した場合、前記入賞口手段に予め定められている最大入賞数の遊技球を入球させることが可能であり、
前記特殊開閉動作を実行した場合、遊技媒体が前記特定領域に受け入れられるように前記可動部材を動作させるものの前記特殊開閉動作における最初の前記開閉部材を前記閉状態から前記開状態へ動作させた際に進入した遊技媒体については遊技媒体が前記特定領域に受け入れられないように前記可動部材を動作させる
ことを特徴とする。
また、本発明とは異なる別発明の手段を以下に示す。
手段１：遊技領域に対して遊技媒体が順次に発射される発射手段と、
閉状態と開状態との間で動作可能な開閉部材を有し、該開閉部材が開状態にあるとき、前記遊技領域のうちの特定の転動領域内にある遊技媒体を内部領域へと進入させる入賞口手段と、
前記入賞口手段の内部領域に進入した遊技媒体が特定領域に受け入れられたとき、遊技者に有利な遊技制御を実行可能な有利遊技制御手段と、
前記特定の転動領域内における遊技媒体の転動方向の長さをＬ、前記発射手段による遊技媒体の発射間隔の時間をＴとするとき、前記特定の転動領域での遊技媒体の平均速度が「Ｌ／２Ｔ」未満となるように前記遊技領域に打ち込まれた遊技媒体と関わり合う構造体として形成されてなる特殊構造体手段と
を備え、
前記特殊構造体手段によって前記特定の転動領域での遊技媒体の平均速度が「Ｌ／２Ｔ」未満に抑えられるなかで前記開閉部材が前記閉状態から前記開状態へと動作したときに前記入賞口手段の内部領域に進入する遊技媒体があった場合、その数の多少にかかわらず、前記特定領域に対して１つの遊技媒体のみが誘導可能とされうる
ことを特徴とする遊技機。
【手続補正書】
【提出日】令和1年9月19日(2019.9.19)
【手続補正１】
【補正対象書類名】特許請求の範囲
【補正対象項目名】全文
【補正方法】変更
【補正の内容】
【特許請求の範囲】
【請求項１】
所定の遊技条件が満たされたときに特典が付与される遊技機であって、
遊技領域に対して遊技媒体が順次に発射される発射手段と、
閉状態と開状態との間で動作可能な開閉部材を有し、該開閉部材が開状態にあるとき、前記遊技領域のうちの特定の転動領域内にある遊技媒体を内部領域へと進入させる入賞口手段と、
前記開閉部材による動作にかかる制御を行う開閉制御手段と
を備え、
前記入賞口手段は、
前記開閉部材が閉状態にあるときに前記発射手段による遊技媒体の発射が継続される場合、前記特定の転動領域内において前記入賞口手段の内部領域への進入待ち状態とされる遊技媒体の流下速度を減速させることを可能とする媒体減速手段
を有しており、
前記開閉制御手段は、
前記入賞口手段の内部領域への進入待ち状態とされる遊技媒体の数が前記媒体減速手段によって遊技媒体の流下速度が減速されているなかで、前記発射手段による遊技媒体の発射間隔以下の短い開放時間でありながらも前記進入待ち状態にある遊技媒体の前記入賞口手段の内部領域への進入が許容されるように前記開閉部材を開状態にする開放効率化制御を実行可能な開放効率化制御手段
を有することを特徴とする遊技機
【手続補正２】
【補正対象書類名】明細書
【補正対象項目名】０００７
【補正方法】変更
【補正の内容】
【０００７】
手段１：所定の遊技条件が満たされたときに特典が付与される遊技機であって、
遊技領域に対して遊技媒体が順次に発射される発射手段と、
閉状態と開状態との間で動作可能な開閉部材を有し、該開閉部材が開状態にあるとき、前記遊技領域のうちの特定の転動領域内にある遊技媒体を内部領域へと進入させる入賞口手段と、
前記開閉部材による動作にかかる制御を行う開閉制御手段と
を備え、
前記入賞口手段は、
前記開閉部材が閉状態にあるときに前記発射手段による遊技媒体の発射が継続される場合、前記特定の転動領域内において前記入賞口手段の内部領域への進入待ち状態とされる遊技媒体の流下速度を減速させることを可能とする媒体減速手段
を有しており、
前記開閉制御手段は、
前記入賞口手段の内部領域への進入待ち状態とされる遊技媒体の数が前記媒体減速手段によって遊技媒体の流下速度が減速されているなかで、前記発射手段による遊技媒体の発射間隔以下の短い開放時間でありながらも前記進入待ち状態にある遊技媒体の前記入賞口手段の内部領域への進入が許容されるように前記開閉部材を開状態にする開放効率化制御を実行可能な開放効率化制御手段
を有することを特徴とする遊技機。
【手続補正書】
【提出日】令和1年9月19日(2019.9.19)
【手続補正１】
【補正対象書類名】特許請求の範囲
【補正対象項目名】全文
【補正方法】変更
【補正の内容】
【特許請求の範囲】
【請求項１】
遊技領域に対して遊技媒体が順次に発射される発射手段と、
閉状態と開状態との間で動作可能な開閉部材を有し、該開閉部材が開状態にあるとき、前記遊技領域のうちの特定の転動領域内にある遊技媒体を内部領域へと進入させる入賞口手段と、
所定の遊技条件が満たされたとき、前記開閉部材による動作にかかる制御を行う開閉制御手段と
を備え、
前記入賞口手段は、
前記開閉部材が閉状態にあるときに前記発射手段による遊技媒体の発射が継続される場合、前記特定の転動領域内において前記入賞口手段の内部領域への進入待ち状態とされる遊技媒体の流下速度を減速させることを可能とする媒体減速手段、及び
前記開閉部材が開状態にされる場合、前記減速させられている遊技媒体を前記入賞口手段の内部領域へと進入させる維持媒体進入許容手段
を有しており、
前記開閉制御手段は、
前記発射手段によって遊技媒体が発射される発射間隔よりも長い時間である特殊閉鎖インターバルにわたって前記開閉部材を閉状態にて維持した後に、該特殊閉鎖インターバルよりも短い開放時間でありながらも該特殊閉鎖インターバルの間に前記進入待ち状態にされた遊技媒体の前記入賞口手段の内部領域への進入が許容される短開放動作を出現させる制御を実行可能な短開放長閉鎖遊技実現手段
を有しており、
前記特殊閉鎖インターバルにわたって前記開閉部材が閉状態にされる閉鎖長期間と、該特殊閉鎖インターバルよりも短い開放時間だけ前記開閉部材が開状態にされる開放短期間とが繰り返し現れるなかで演出が行われるようにした
ことを特徴とする遊技機。
【手続補正２】
【補正対象書類名】明細書
【補正対象項目名】０００８
【補正方法】変更
【補正の内容】
【０００８】
手段１：遊技領域に対して遊技媒体が順次に発射される発射手段と、
閉状態と開状態との間で動作可能な開閉部材を有し、該開閉部材が開状態にあるとき、前記遊技領域のうちの特定の転動領域内にある遊技媒体を内部領域へと進入させる入賞口手段と、
所定の遊技条件が満たされたとき、前記開閉部材による動作にかかる制御を行う開閉制御手段と
を備え、
前記入賞口手段は、
前記開閉部材が閉状態にあるときに前記発射手段による遊技媒体の発射が継続される場合、前記特定の転動領域内において前記入賞口手段の内部領域への進入待ち状態とされる遊技媒体の流下速度を減速させることを可能とする媒体減速手段、及び
前記開閉部材が開状態にされる場合、前記減速させられている遊技媒体を前記入賞口手段の内部領域へと進入させる維持媒体進入許容手段
を有しており、
前記開閉制御手段は、
前記発射手段によって遊技媒体が発射される発射間隔よりも長い時間である特殊閉鎖インターバルにわたって前記開閉部材を閉状態にて維持した後に、該特殊閉鎖インターバルよりも短い開放時間でありながらも該特殊閉鎖インターバルの間に前記進入待ち状態にされた遊技媒体の前記入賞口手段の内部領域への進入が許容される短開放動作を出現させる制御を実行可能な短開放長閉鎖遊技実現手段
を有しており、
前記特殊閉鎖インターバルにわたって前記開閉部材が閉状態にされる閉鎖長期間と、該特殊閉鎖インターバルよりも短い開放時間だけ前記開閉部材が開状態にされる開放短期間とが繰り返し現れるなかで演出が行われるようにした
ことを特徴とする遊技機。
【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
遊技領域に対して遊技媒体が順次に発射される発射手段と、
閉状態と開状態との間で動作可能な開閉部材を有し、該開閉部材が開状態にあるとき、前記遊技領域のうちの特定の流下領域内にある遊技媒体を内部領域へと進入させる入賞口手段と、
前記開閉部材による動作にかかる制御を行う開閉制御手段と、
前記開閉制御手段による制御によって開放された前記入賞口手段の内部領域に進入した遊技媒体が特定領域に受け入れられたとき、遊技者に有利な遊技制御を実行可能な有利遊技制御手段と、
前記遊技領域に対して発射された遊技媒体を受け入れ可能な受入口と、
前記受入口に遊技媒体が受け入れられたことに基づいて抽選を行う抽選手段と
を備え、
前記入賞口手段は、
前記開閉部材が閉状態にあるときに前記発射手段による遊技媒体の発射が継続される場合、前記特定の流下領域内において前記入賞口手段の内部領域への進入待ち状態とされる遊技媒体の流下速度を減速させることを可能とする媒体減速手段を有し、該媒体減速手段により遊技媒体の流下速度が減速されているなかで前記開閉部材が開状態にされる場合、前記進入待ち状態とされる遊技媒体を前記入賞口手段の内部領域へと進入させ、
前記開閉制御手段は、
前記抽選手段による抽選において特定の結果が得られた場合、前記開閉部材を複数回前記開状態とすることが可能であり、該複数回の前記開閉部材の開状態には、前記媒体減速手段によって前記進入待ち状態とされる遊技媒体が必ず前記特定領域へと誘導されるように前記開閉部材が開状態とされる特別開状態が含まれる
ことを特徴とする遊技機。
【手続補正２】
【補正対象書類名】明細書
【補正対象項目名】０００７
【補正方法】変更
【補正の内容】
【０００７】
手段１：遊技領域に対して遊技媒体が順次に発射される発射手段と、
閉状態と開状態との間で動作可能な開閉部材を有し、該開閉部材が開状態にあるとき、前記遊技領域のうちの特定の流下領域内にある遊技媒体を内部領域へと進入させる入賞口手段と、
前記開閉部材による動作にかかる制御を行う開閉制御手段と、
前記開閉制御手段による制御によって開放された前記入賞口手段の内部領域に進入した遊技媒体が特定領域に受け入れられたとき、遊技者に有利な遊技制御を実行可能な有利遊技制御手段と、
前記遊技領域に対して発射された遊技媒体を受け入れ可能な受入口と、
前記受入口に遊技媒体が受け入れられたことに基づいて抽選を行う抽選手段と
を備え、
前記入賞口手段は、
前記開閉部材が閉状態にあるときに前記発射手段による遊技媒体の発射が継続される場合、前記特定の流下領域内において前記入賞口手段の内部領域への進入待ち状態とされる遊技媒体の流下速度を減速させることを可能とする媒体減速手段を有し、該媒体減速手段により遊技媒体の流下速度が減速されているなかで前記開閉部材が開状態にされる場合、前記進入待ち状態とされる遊技媒体を前記入賞口手段の内部領域へと進入させ、
前記開閉制御手段は、
前記抽選手段による抽選において特定の結果が得られた場合、前記開閉部材を複数回前記開状態とすることが可能であり、該複数回の前記開閉部材の開状態には、前記媒体減速手段によって前記進入待ち状態とされる遊技媒体が必ず前記特定領域へと誘導されるように前記開閉部材が開状態とされる特別開状態が含まれる
ことを特徴とする遊技機。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正書】
【提出日】令和1年9月30日(2019.9.30)
【手続補正１】
【補正対象書類名】特許請求の範囲
【補正対象項目名】全文
【補正方法】変更
【補正の内容】
【特許請求の範囲】
【請求項１】
所定条件の成立に基づき抽選を行う抽選手段と、
前記抽選手段の結果が特定結果であることに基づき、遊技媒体を受け入れ不能な状態から遊技媒体を受け入れ可能な状態へと切り替えて遊技者に利益を付与する第１特別遊技を実行可能な第１特別遊技実行手段と、
前記第１特別遊技において受け入れられた遊技媒体が特定領域を通過したことに基づき、遊技媒体を受け入れ不能な状態から遊技媒体を受け入れ可能な状態へと切り替えて遊技者に利益を付与する第２特別遊技を実行可能な第２特別遊技実行手段と、を備え、
前記第１特別遊技では、遊技媒体を受け入れ不能な状態から遊技媒体を受け入れ可能な状態への切り替えが複数回行われ、遊技媒体を受け入れ可能な状態とされる時間よりも遊技媒体を受け入れ不能な状態とされる時間の方が長い
ことを特徴とする遊技機。
【手続補正２】
【補正対象書類名】明細書
【補正対象項目名】０００５
【補正方法】変更
【補正の内容】
【０００５】
このような従来の遊技機において、当り遊技が行われる期間では、大入賞口が開状態とされるだけで特に代わり映えのしない遊技となっており、遊技興趣の低下を招くおそれがあった。
【手続補正３】
【補正対象書類名】明細書
【補正対象項目名】０００７
【補正方法】変更
【補正の内容】
【０００７】
上記目的を達成するために、請求項１の発明では、
所定条件の成立に基づき抽選を行う抽選手段と、
前記抽選手段の結果が特定結果であることに基づき、遊技媒体を受け入れ不能な状態から遊技媒体を受け入れ可能な状態へと切り替えて遊技者に利益を付与する第１特別遊技を実行可能な第１特別遊技実行手段と、
前記第１特別遊技において受け入れられた遊技媒体が特定領域を通過したことに基づき、遊技媒体を受け入れ不能な状態から遊技媒体を受け入れ可能な状態へと切り替えて遊技者に利益を付与する第２特別遊技を実行可能な第２特別遊技実行手段と、を備え、
前記第１特別遊技では、遊技媒体を受け入れ不能な状態から遊技媒体を受け入れ可能な状態への切り替えが複数回行われ、遊技媒体を受け入れ可能な状態とされる時間よりも遊技媒体を受け入れ不能な状態とされる時間の方が長い
ことを特徴とする。
また、以下のような手段を採用してもよい。
手段１：遊技領域に対して遊技媒体が順次に発射される発射手段と、
閉状態と開状態との間で動作可能な開閉部材を有し、該開閉部材が開状態にあるとき、前記遊技領域のうちの特定の転動領域内にある遊技媒体を内部領域へと進入させる入賞口手段と、
所定の遊技条件が満たされたとき、前記開閉部材による動作にかかる制御を行う開閉制御手段と
を備え、
前記入賞口手段は、
前記開閉部材が閉状態にあるときに前記発射手段による遊技媒体の発射が継続される場合、前記特定の転動領域内において前記入賞口手段の内部領域への進入待ち状態とされる遊技媒体の数を１個以上にて維持可能とする媒体維持手段、及び前記媒体維持手段により進入待ち状態とされる遊技媒体があるなかで前記開閉部材が開状態にされる場合、前記進入待ち状態とされる遊技媒体を前記入賞口手段の内部領域へと進入させる維持媒体進入許容手段
を有しており、
前記開閉制御手段は、
前記入賞口手段の内部領域への進入待ち状態とされる遊技媒体の数が前記媒体維持手段によって１個以上にて維持可能とされるのに要する特殊閉鎖インターバルにわたって前記開閉部材を閉状態にて維持した後に、該特殊閉鎖インターバルよりも短い開放時間でありながらも該特殊閉鎖インターバルの間に前記進入待ち状態にされた遊技媒体の前記入賞口手段の内部領域への進入が許容される短開放動作を出現させる制御を実行可能な短開放長閉鎖遊技実現手段
を有しており、
前記特殊閉鎖インターバルにわたって前記開閉部材が閉状態にされる閉鎖長期間と、該特殊閉鎖インターバルよりも短い開放時間だけ前記開閉部材が開状態にされる開放短期間とが繰り返し現れるなかで演出が行われるようにした
ことを特徴とする遊技機。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正書】
【提出日】令和1年7月24日(2019.7.24)
【手続補正１】
【補正対象書類名】特許請求の範囲
【補正対象項目名】全文
【補正方法】変更
【補正の内容】
【特許請求の範囲】
【請求項１】
所定条件の成立に基づいて抽選を行い、該抽選の結果に基づいて図柄変動遊技を行い、該図柄変動遊技の結果に基づいて利益を付与する遊技機であって、
当該遊技機の前面側を構成する前扉と、
を備え、
前記前扉は、第１の前カバー部と、該第１の前カバー部に連結して設けられる第２の前カバー部とを有し、
前記第２の前カバー部は、前方に膨出した膨出箇所と、膨出箇所よりも前方に膨出していない非膨出箇所とを有し、
前記第２の前カバー部における前記非膨出箇所には、前記前扉を開放するための鍵が挿入される鍵穴部が設けられており、
前記第２の前カバー部には、前記膨出箇所から前記鍵穴部の周りを含んだ前記非膨出箇所にかけて装飾態様が連続する特別意匠部が設けられる
ことを特徴とする遊技機。
【手続補正２】
【補正対象書類名】明細書
【補正対象項目名】０００３
【補正方法】削除
【補正の内容】
【手続補正３】
【補正対象書類名】明細書
【補正対象項目名】０００４
【補正方法】削除
【補正の内容】
【手続補正４】
【補正対象書類名】明細書
【補正対象項目名】０００６
【補正方法】変更
【補正の内容】
【０００６】
しかしながら、従来の遊技機と同様の構成では斬新さに欠け、遊技興趣の更なる向上が困難であった。そこで、本発明は、新たな態様の遊技機を提供することを目的とする。
【手続補正５】
【補正対象書類名】明細書
【補正対象項目名】０００７
【補正方法】変更
【補正の内容】
【０００７】
上述した目的を達成するため、本発明は、
所定条件の成立に基づいて抽選を行い、該抽選の結果に基づいて図柄変動遊技を行い、該図柄変動遊技の結果に基づいて利益を付与する遊技機であって、
当該遊技機の前面側を構成する前扉と、
を備え、
前記前扉は、第１の前カバー部（皿ユニットカバー２６０）と、該第１の前カバー部に連結して設けられる第２の前カバー部（演出ユニットカバー３００）とを有し、
前記第２の前カバー部は、前方に膨出した膨出箇所と、膨出箇所よりも前方に膨出していない非膨出箇所とを有し、
前記第２の前カバー部における前記非膨出箇所には、前記前扉を開放するための鍵が挿入される鍵穴部（シリンダ挿通口３０３）が設けられており、
前記第２の前カバー部には、前記膨出箇所から前記鍵穴部の周りを含んだ前記非膨出箇所にかけて装飾態様が連続する特別意匠部（演出ユニットカバー３００の装飾部３０２）が設けられる
ことを特徴とする（段落０１１３、図１９等参照）。
【手続補正６】
【補正対象書類名】明細書
【補正対象項目名】０００８
【補正方法】変更
【補正の内容】
【０００８】
本発明によれば、新たな装飾態様の遊技機を提供することができる。
【手続補正書】
【提出日】令和1年7月24日(2019.7.24)
【手続補正１】
【補正対象書類名】特許請求の範囲
【補正対象項目名】全文
【補正方法】変更
【補正の内容】
【特許請求の範囲】
【請求項１】
所定条件の成立に基づいて抽選を行い、該抽選の結果に基づいて図柄変動遊技を行い、該図柄変動遊技の結果に基づいて利益を付与する遊技機であって、
当該遊技機の前面側を構成する前扉と、
前記前扉に設けられる所定の演出部材と、
を備え、
前記前扉は、前方に膨出した膨出箇所と、膨出箇所よりも前方に膨出していない非膨出箇所とを有する前カバー部を具備し、
前記前カバー部における前記非膨出箇所には、前記前扉を開放するための鍵が挿入される鍵穴部が設けられており、
前記前カバー部には、前記演出部材の前方である前記膨出箇所から前記鍵穴部の周りを含んだ前記非膨出箇所にかけて装飾態様が連続する特別意匠部が設けられる
ことを特徴とする遊技機。
【手続補正２】
【補正対象書類名】明細書
【補正対象項目名】０００３
【補正方法】削除
【補正の内容】
【手続補正３】
【補正対象書類名】明細書
【補正対象項目名】０００４
【補正方法】削除
【補正の内容】
【手続補正４】
【補正対象書類名】明細書
【補正対象項目名】０００６
【補正方法】変更
【補正の内容】
【０００６】
しかしながら、従来の遊技機と同様の構成では斬新さに欠け、遊技興趣の更なる向上が困難であった。そこで、本発明は、新たな態様の遊技機を提供することを目的とする。
【手続補正５】
【補正対象書類名】明細書
【補正対象項目名】０００７
【補正方法】変更
【補正の内容】
【０００７】
上述した目的を達成するため、本発明は、
所定条件の成立に基づいて抽選を行い、該抽選の結果に基づいて図柄変動遊技を行い、該図柄変動遊技の結果に基づいて利益を付与する遊技機であって、
当該遊技機の前面側を構成する前扉と、
前記前扉に設けられる所定の演出部材（扉右下演出ユニット２７０）と、
を備え、
前記前扉は、前方に膨出した膨出箇所と、膨出箇所よりも前方に膨出していない非膨出箇所とを有する前カバー部（演出ユニットカバー３００）を具備し、
前記前カバー部における前記非膨出箇所には、前記前扉を開放するための鍵が挿入される鍵穴部（シリンダ挿通口３０３）が設けられており、
前記前カバー部には、前記演出部材の前方である前記膨出箇所から前記鍵穴部の周りを含んだ前記非膨出箇所にかけて装飾態様が連続する特別意匠部（演出ユニットカバー３００の装飾部３０２）が設けられる
ことを特徴とする（段落０１１３、図１９等参照）。
【手続補正６】
【補正対象書類名】明細書
【補正対象項目名】０００８
【補正方法】変更
【補正の内容】
【０００８】
本発明によれば、新たな装飾態様の遊技機を提供することができる。
【手続補正書】
【提出日】令和1年5月29日(2019.5.29)
【手続補正１】
【補正対象書類名】特許請求の範囲
【補正対象項目名】全文
【補正方法】変更
【補正の内容】
【特許請求の範囲】
【請求項１】
前面と裏面を有し、柔軟であり、かつ、一面がメッシュ状になっている表面部を有し、ユーザーの口の周りのみを完全に覆うように形成された、パッド、
前記裏面とつながっており、かつ前記ユーザーの上下の唇に着脱可能となるように固定されるように配置された、接着剤、および、
前記前面と前記裏面の間の通路を形成し、メッシュで構成され、かつ、口呼吸の間前記パッドを通して空気が流れることを可能にするように形成された、透過部、を備える、ユーザーの顔用の睡眠補助装置。
【請求項２】
前記接着剤は、前記裏面の上方および前記裏面の周辺に配置される、請求項１に記載の睡眠補助装置。
【請求項３】
前記メッシュはメッシュファブリックである、請求項２に記載の睡眠補助装置。
【請求項４】
前記透過部は、中空の円筒である、請求項２に記載の睡眠補助装置。
【請求項５】
前記透過部は、前記ユーザーの口の空気の通路を制限するように形成され、鼻呼吸を促進する、請求項２に記載の睡眠補助装置。
【請求項６】
前記メッシュは、メッシュファブリックである、請求項１に記載の睡眠補助装置。
【請求項７】
前記透過部は、中空の円筒である、請求項１に記載の睡眠補助装置。
【請求項８】
前記透過部は、前記ユーザーの口の空気の通路を制限するように形成され、鼻呼吸を促進する、請求項１に記載の睡眠補助装置。
【請求項９】
前面と裏面を有し、柔軟であり、一面がメッシュ状になっている表面部を有する、パッド、
前記裏面とつながっており、ユーザーの上下の唇にのみくっつくように配置された、接着剤、および、
前記前面と前記裏面の間の通路を形成し、メッシュファブリックで構成され、かつ口呼吸の間前記パッドを通して空気が流れることを可能にするように形成された、過部、を備える、ユーザーの顔用の睡眠補助装置。
【手続補正２】
【補正対象書類名】明細書
【補正対象項目名】発明の名称
【補正方法】変更
【補正の内容】
【発明の名称】睡眠補助装置
【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
外壁を有するハウジングと、流体入口及びヘアケア機器から毛髪に向かって流体を吹き出すための流体出口と、前記外壁内に収容された内部構造と、前記外壁を横切って延びる端壁とを備えたヘアケア機器であって、前記端壁は、前記内部構造を介して前記ハウジングに取り付けられ、前記端壁は、前記内部構造の対応する溝と係合するように、前記端壁から延びる突起を含む、
ことを特徴とするヘアケア機器。
【請求項２】
前記端壁は、フィルタユニットの一部を形成し、前記フィルタユニットは、メッシュフィルタと、前記メッシュフィルタの周囲を取り囲むフィルタフレームとをさらに含む、
請求項１に記載の機器。
【請求項３】
前記端壁は、内部構造の周囲で連続していない、
請求項１または２に記載の機器。
【請求項４】
前記内部構造は、前記内部構造から半径方向外向きに、前記内部構造の少なくとも一部に沿って延びるリブを有する、
請求項１から３のいずれかに記載の機器。
【請求項５】
前記フィルタフレームは、前記端壁を前記内部構造に取り付けた時に、前記リブのいずれかの側に当接する、
請求項１から４のいずれかに記載の機器。
【請求項６】
前記リブは、前記リブの一部に沿って延びる凹部を含む、
請求項４または５に記載の機器。
【請求項７】
前記端壁は、該端壁を前記内部構造に取り付けるために前記ハウジングの方に押される、請求項１から６のいずれかに記載の機器。
【請求項８】
前記端壁は外縁部を有し、前記端壁を前記内部構造に取り付けた時に、前記外縁部が前記外壁に隣接又は当接する、
請求項１から７のいずれかに記載の機器。
【請求項９】
前記外縁部は、前記外壁の端面のための嵌合面を形成する、
請求項８に記載の機器。
【請求項１０】
前記端壁の前記外縁部は、前記ハウジングの前記端壁を横切って延び、従って前記端壁が前記外壁に交わった場合、前記ハウジングの外径は前記端壁の外径と実質的に同じである、請求項８または９に記載の機器。
【請求項１１】
前記ハウジングは、ハンドルである、
請求項１から１０のいずれかに記載の機器。
【請求項１２】
前記ヘアケア機器は、ヘアドライヤである、
請求項１から１１のいずれか１項に記載の機器。
【請求項１３】
前記ヘアケア機器は、温風整髪機器である、
請求項１から１２のいずれか１項に記載の機器。
【手続補正２】
【補正対象書類名】明細書
【補正対象項目名】００９３
【補正方法】変更
【補正の内容】
【００９３】
本発明は、上述した詳細な説明に限定されるものではない。当業者には、変形例が明らかであろう。
本発明は、例えば以下のような態様とすることができる。
（１）前記端壁は、少なくとも部分的に前記端壁の周囲に延びる複数の開口部を含む。
（２）前記端壁は、該端壁を前記内部構造に取り付けるために前記内部構造に対して回転する。
（３）前記端壁は、前記外壁から離れて延びる。
（４）前記ハウジングは長手方向軸を有し、前記外壁は、該長手方向軸に沿って延びる、
（５）前記端壁は、前記外壁から離れて前記長手方向軸に向かって延びる。
（６）前記端壁は、前記外壁から離れて延びるにつれ、前記外壁から前記長手方向軸に向かって延びる。
（７）前記端壁は、前記外壁から離れて延びるにつれ先細になる。
（８）前記端壁の形状は、截頭円錐形である。
（９）前記端壁は、前記内部構造に係合する第１の部品、及び該第１の部品によって前記外壁に対して保持される第２の部品という２つの部品によって形成される。
（１０）前記第１の部品は、前記第２の部品に対して回転自在である。
（１１）前記第１の部品は、前記端壁を前記ハウジングに係合させるように前記内部構造に対して回転自在である。
（１２）前記ハウジングは、長円形断面を有する。
（１３）前記端壁は、第１の取り付け部材を含み、該第１の取り付け部材は、前記端壁から延びて前記内部構造の協働する取り付け部材に係合する。
（１４）前記第１の取り付け部材及び協働する部材の一方は溝を有し、前記端壁を前記機器の前記内部構造に取り付けた時に、前記第１の取り付け部材及び前記協働する部材の他方の協働する突起が前記溝に入り込む。
（１５）前記溝は螺旋形である。
（１６）前記端壁は、該端壁を取り付けた時に前記外壁の内側に延びるリップ部を有する。
【手続補正書】
【提出日】平成31年3月19日(2019.3.19)
【手続補正１】
【補正対象書類名】特許請求の範囲
【補正対象項目名】全文
【補正方法】変更
【補正の内容】
【特許請求の範囲】
【請求項１】
長手軸に沿って配置され、かつ、少なくとも一部が前記長手軸に沿って延びる磁場を発生させるように構成される１つ又は複数の磁石；
前記長手軸周りに回転可能なガントリー；及び、
前記磁場の均一性を少なくとも部分的に補正する前記ガントリーに取り付けられた複数のシム；
を有する、
システム。
【請求項２】
前記複数のシムの少なくとも一部は、パッシブシムである、
請求項１に記載のシステム。
【請求項３】
前記複数のシムの少なくとも一部は、永久磁石シムである、
請求項１に記載のシステム。
【請求項４】
前記複数のシムの少なくとも一部は、前記ガントリーの中心面の近くに位置する、
請求項１に記載のシステム。
【請求項５】
前記複数のシムは、必要とされる材料を減らすため、より小さな半径で前記ガントリーに取り付けられる、
請求項１に記載のシステム。
【請求項６】
前記複数のシムは、方域調和関数を補正するように構成される、
請求項１に記載のシステム。
【請求項７】
前記ガントリーに取り付けられた線形加速器をさらに有する、
請求項１に記載のシステム。
【手続補正書】
【提出日】令和1年8月9日(2019.8.9)
【手続補正１】
【補正対象書類名】特許請求の範囲
【補正対象項目名】全文
【補正方法】変更
【補正の内容】
【特許請求の範囲】
【請求項１】
遊技窓を有する扉枠と、
遊技領域の下方で前方へ膨出する皿ユニットと、
前記皿ユニットに設けられ、遊技球を貯留可能な貯留部と、
前記皿ユニットに収容され、遊技者による操作を受付可能な操作ユニットと、を備え、
前記皿ユニットは、前記扉枠の下部となる底辺部を有しており、
前記操作ユニットが前記皿ユニットに収容された状態において、前記底辺部と前記操作ユニットとの間に空間を有する
ことを特徴とする遊技機。
【手続補正２】
【補正対象書類名】明細書
【補正対象項目名】０００２
【補正方法】変更
【補正の内容】
【０００２】
パチンコ機等の遊技機は、遊技者の操作によって所定の遊技が行われる遊技領域を有しており、遊技領域内で行われる遊技の進行状況（遊技状態）に応じて、遊技者に所定の演出を提示することで、遊技者を楽しませて飽きさせ難くしている。
【手続補正３】
【補正対象書類名】明細書
【補正対象項目名】０００３
【補正方法】変更
【補正の内容】
【０００３】
この種の遊技機として、遊技領域の下方において前方に膨出している膨出部の上面に、遊技を行うための遊技操作部を設け、所定の演出として、遊技者が遊技操作部を操作することで演出に参加することが可能な遊技者参加型演出を実行するものが提案されている（例えば、特許文献１）。これら特許文献１の技術によれば、遊技者参加型演出が実行された時に、遊技者が遊技操作部を操作すると、その操作に応じて演出の内容が変化するため、遊技者を楽しませることができ、遊技者を飽きさせ難くすることができる。
しかしながら、特許文献１の技術では、上皿本体に操作ユニット取付部を備え、操作ユニット取付部に対して操作ユニットを嵌め込むことによってダイヤル操作部及び押圧操作部を設置しているため、設置可能な操作ユニットの大きさには限界があった。
【手続補正４】
【補正対象書類名】明細書
【補正対象項目名】０００４
【補正方法】変更
【補正の内容】
【０００４】
【特許文献１】特開２０１４−１５１０７６号公報
【手続補正５】
【補正対象書類名】明細書
【補正対象項目名】０００６
【補正方法】変更
【補正の内容】
【０００６】
そこで、本発明は、上記の実情に鑑み、操作ユニットを設置するスペースを確保し、遊技者に操作部を操作させて遊技者参加型演出を楽しませることが可能な遊技機の提供を課題とする。
【手続補正６】
【補正対象書類名】明細書
【補正対象項目名】０００７
【補正方法】変更
【補正の内容】
【０００７】
本発明は、
遊技窓を有する扉枠と、
遊技領域の下方で前方へ膨出する皿ユニットと、
前記皿ユニットに設けられ、遊技球を貯留可能な貯留部と、
前記皿ユニットに収容され、遊技者による操作を受付可能な操作ユニットと、を備え、
前記皿ユニットは、前記扉枠の下部となる底辺部を有しており、
前記操作ユニットが前記皿ユニットに収容された状態において、前記底辺部と前記操作ユニットとの間に空間を有する
ことを特徴とする。
【手続補正７】
【補正対象書類名】明細書
【補正対象項目名】０００８
【補正方法】変更
【補正の内容】
【０００８】
本発明によれば、操作ユニットを配置するスペースを十分に確保することで今までにない操作部を提供することで遊技者に操作部を操作させて遊技者参加型演出を楽しませることが可能な遊技機を提供することができる。
【手続補正書】
【提出日】平成31年4月16日(2019.4.16)
【手続補正１】
【補正対象書類名】特許請求の範囲
【補正対象項目名】全文
【補正方法】変更
【補正の内容】
【特許請求の範囲】
【請求項１】
遊技機前面側が開放される筐体と、
遊技に関する各種制御を実施する制御基板を被包手段内に有する制御手段と、
該制御手段により制御される所定の被制御手段とを備えた遊技機において、
前記筐体内部の奥面部に固定された第１部材と、
該第１部材に対して回動変位可能であり、かつ、前記制御手段が装着される第２部材と、
前記第１部材と前記第２部材とを連結部において分離不能に連結する連結手段と、
前記第２部材と前記制御手段とを、第２部材から制御手段を取り外す場合にその痕跡が残るようにするための封印状態とする第１封印手段と、
前記制御手段において前記連結部とは反対側の端部寄りに設けられた検査用コネクタと、
前記制御手段と前記所定の被制御手段とを電気的に接続するために、前記制御手段に設けられる制御用コネクタとを備え、
前記遊技機前面側が開放された状態において、前記第１部材に対して前記第２部材及び前記制御手段が所定位置にある場合には、前記遊技機前面側から前記制御基板の表面が少なくとも視認可能であり、
前記遊技機前面側が開放された状態において、前記第１部材に対して前記第２部材及び前記制御手段を前記所定位置から回動変位させ、前記第２部材及び前記制御手段が回動変位位置にある場合には、前記遊技機前面側から前記制御基板の裏面が少なくとも視認可能であり、
前記第１部材と前記第２部材とを前記連結手段により分離不能に連結した状態、かつ、前記第２部材と前記制御手段とを前記第１封印手段により前記封印状態とした状態で、前記第２部材及び前記制御手段が前記所定位置と前記回動変位位置との間で回動変位可能であり、
前記制御手段に設けられる前記検査用コネクタは、前記制御手段に設けられる前記制御用コネクタより前記端部寄りに設けられており、
前記制御基板は、長辺部と短辺部とを有する四角状であり、
前記第２部材及び前記制御手段を前記回動変位位置に回動変位させる際の軸部が、前記制御基板の長辺部と短辺部とのうち短辺部の延びる方向に沿って設けられており、
前記制御手段は、前記第１封印手段による前記封印状態が解除された状態で前記第２部材に対して当該第２部材の回動半径方向にスライド移動させることにより当該第２部材からの取り外しが可能であり、
前記第２部材に対する前記制御手段のスライド移動を規制可能な規制手段を備え、
前記規制手段は、所定の施解錠手段の解錠操作によって解錠可能な施錠部材を取り付けるための取付部を備え、前記取付部に前記施錠部材が取り付けられている場合に前記第２部材に対する前記制御手段のスライド移動を規制し、前記取付部に前記施錠部材が取り付けられていない場合に前記第２部材に対する前記制御手段のスライド移動を許容するものであり、
前記取付部は、前記軸部寄りに配置され、かつ、前記施錠部材の取付位置が、前記制御手段が前記所定位置にある場合に前記制御手段の前記遊技機前面側となるように構成されており、
前記被包手段を開放する場合にその痕跡が残るように封印状態とする第２封印手段を備え、
前記第１封印手段は、前記制御手段が前記第２部材に装着された状態で前記軸部寄りとなるように設けられており、
前記第２封印手段は、前記制御手段が前記第２部材に装着された状態で前記軸部寄りとなるように設けられており、
前記第１封印手段及び前記第２封印手段は、前記第１部材に対して前記第２部材及び前記制御手段が前記所定位置にある場合に遊技機前方からの正面視において前記軸部の軸方向に並ぶようにして配置されることを特徴とする遊技機。
【手続補正２】
【補正対象書類名】明細書
【補正対象項目名】０００７
【補正方法】変更
【補正の内容】
【０００７】
上記の目的を達成するために、本発明では、
遊技機前面側が開放される筐体と、
遊技に関する各種制御を実施する制御基板を被包手段内に有する制御手段と、
該制御手段により制御される所定の被制御手段とを備えた遊技機において、
前記筐体内部の奥面部に固定された第１部材と、
該第１部材に対して回動変位可能であり、かつ、前記制御手段が装着される第２部材と、
前記第１部材と前記第２部材とを連結部において分離不能に連結する連結手段と、
前記第２部材と前記制御手段とを、第２部材から制御手段を取り外す場合にその痕跡が残るようにするための封印状態とする第１封印手段と、
前記制御手段において前記連結部とは反対側の端部寄りに設けられた検査用コネクタと、
前記制御手段と前記所定の被制御手段とを電気的に接続するために、前記制御手段に設けられる制御用コネクタとを備え、
前記遊技機前面側が開放された状態において、前記第１部材に対して前記第２部材及び前記制御手段が所定位置にある場合には、前記遊技機前面側から前記制御基板の表面が少なくとも視認可能であり、
前記遊技機前面側が開放された状態において、前記第１部材に対して前記第２部材及び前記制御手段を前記所定位置から回動変位させ、前記第２部材及び前記制御手段が回動変位位置にある場合には、前記遊技機前面側から前記制御基板の裏面が少なくとも視認可能であり、
前記第１部材と前記第２部材とを前記連結手段により分離不能に連結した状態、かつ、前記第２部材と前記制御手段とを前記第１封印手段により前記封印状態とした状態で、前記第２部材及び前記制御手段が前記所定位置と前記回動変位位置との間で回動変位可能であり、
前記制御手段に設けられる前記検査用コネクタは、前記制御手段に設けられる前記制御用コネクタより前記端部寄りに設けられており、
前記制御基板は、長辺部と短辺部とを有する四角状であり、
前記第２部材及び前記制御手段を前記回動変位位置に回動変位させる際の軸部が、前記制御基板の長辺部と短辺部とのうち短辺部の延びる方向に沿って設けられており、
前記制御手段は、前記第１封印手段による前記封印状態が解除された状態で前記第２部材に対して当該第２部材の回動半径方向にスライド移動させることにより当該第２部材からの取り外しが可能であり、
前記第２部材に対する前記制御手段のスライド移動を規制可能な規制手段を備え、
前記規制手段は、所定の施解錠手段の解錠操作によって解錠可能な施錠部材を取り付けるための取付部を備え、前記取付部に前記施錠部材が取り付けられている場合に前記第２部材に対する前記制御手段のスライド移動を規制し、前記取付部に前記施錠部材が取り付けられていない場合に前記第２部材に対する前記制御手段のスライド移動を許容するものであり、
前記取付部は、前記軸部寄りに配置され、かつ、前記施錠部材の取付位置が、前記制御手段が前記所定位置にある場合に前記制御手段の前記遊技機前面側となるように構成されており、
前記被包手段を開放する場合にその痕跡が残るように封印状態とする第２封印手段を備え、
前記第１封印手段は、前記制御手段が前記第２部材に装着された状態で前記軸部寄りとなるように設けられており、
前記第２封印手段は、前記制御手段が前記第２部材に装着された状態で前記軸部寄りとなるように設けられており、
前記第１封印手段及び前記第２封印手段は、前記第１部材に対して前記第２部材及び前記制御手段が前記所定位置にある場合に遊技機前方からの正面視において前記軸部の軸方向に並ぶようにして配置されることを特徴とする。
【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
ベットスイッチユニットを備え、
前記ベットスイッチユニットは、
所定の操作面を有するマックスベットボタン部と、マックスベットセンサ基板と、照光ランプ基板と、スイッチ基板とがあり、
前記マックスベットセンサ基板にはセンサ用コネクタを有し、
前記照光ランプ基板にはランプ用コネクタを有し、
前記スイッチ基板にはスイッチ用コネクタを有し、
前記所定の操作面を基準として、前記ランプ用コネクタは前記スイッチ用コネクタよりも遠い位置に配置され、前記センサ用コネクタは前記ランプ用コネクタよりも遠い位置に配置される
ことを特徴とする遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００１
【補正方法】変更
【補正の内容】
【０００１】
本発明は、ベットスイッチユニットを備える遊技機に関する。
【手続補正４】
【補正対象書類名】明細書
【補正対象項目名】０００２
【補正方法】変更
【補正の内容】
【０００２】
遊技機の一種であるスロットマシンは、リールを回転させるリールユニットと、リールユニットの作動制御を行う主制御装置と、遊技の結果に応じてメダルを払い出す払出装置と、これらを収容する箱状の基体部（本体部材）と、基体部の前面開口部を開閉可能な前面扉（開閉部材）とを備えて構成されている（例えば、特許文献１および２を参照）。また、前面扉には、遊技の用に供するためのベットボタンが取り付けられている。
【手続補正５】
【補正対象書類名】明細書
【補正対象項目名】０００４
【補正方法】変更
【補正の内容】
【０００４】
近年、遊技機の構成部品が複雑化しつつあり、遊技機の複雑な構成部品をコンパクトに収納しつつも、容易に部品交換を行うための方策が求められている。
【手続補正６】
【補正対象書類名】明細書
【補正対象項目名】０００５
【補正方法】変更
【補正の内容】
【０００５】
本発明は、このような課題に鑑みてなされたものであり、コンパクトに収納可能にしつつも、容易に部品交換を行えるベットスイッチユニットを提供することを目的とする。
【手続補正７】
【補正対象書類名】明細書
【補正対象項目名】０００６
【補正方法】変更
【補正の内容】
【０００６】
このような目的達成のため、ベットスイッチユニットを備え、前記ベットスイッチユニットは、所定の操作面を有するマックスベットボタン部と、マックスベットセンサ基板と、照光ランプ基板と、スイッチ基板とがあり、前記マックスベットセンサ基板にはセンサ用コネクタを有し、前記照光ランプ基板にはランプ用コネクタを有し、前記スイッチ基板にはスイッチ用コネクタを有し、前記所定の操作面を基準として、前記スイッチ用コネクタは前記ランプ用コネクタよりも遠い位置に配置され、前記ランプ用コネクタは前記センサ用コネクタよりも遠い位置に配置されている。
【手続補正８】
【補正対象書類名】明細書
【補正対象項目名】０００７
【補正方法】変更
【補正の内容】
【０００７】
本発明によれば、ベットスイッチユニットに関しコンパクトに収納可能にしつつも、容易に部品交換を行うことができる。
【手続補正書】
【提出日】平成31年4月15日(2019.4.15)
【手続補正１】
【補正対象書類名】特許請求の範囲
【補正対象項目名】全文
【補正方法】変更
【補正の内容】
【特許請求の範囲】
【請求項１】
基本組成
（ＫｘＮａｙＬｉ１−ｘ−ｙ）ａ（ＭｎｕＴａｖＳｂｗＮｂ１−ｕ−ｖ−ｗ）Ｏ３のニオブ酸カリウムナトリウム（ＰＳＮ）系の、鉛含有量が低減された圧電セラミック材料であって、
式中、０＜ｘ＜１ｙ；０＜ｙ＜１；０＜ｕ＜０．０１；０＜ｖ＜０．３；０≦ｗ＜０．２、および
０．９５＜ａ＜１．０５；ｘ＋ｙ≦１であり、
Ｐｂ、Ｎｂ、および任意にＡｇの混合物の添加は、ｋ重量％のＰｂ＋ｌ重量％のＮｂ＋ｍ重量％のＡｇに従い、
式中、
０＜ｋ＜０．５；０＜ｌ＜１；０≦ｍ＜１であることを特徴とする、圧電セラミック材料。
【請求項２】
０．００１＜ｋ≦０．２であることを特徴とする、請求項１に記載の圧電セラミック材料。
【請求項３】
０＜ｌ≦０．１７９であることを特徴とする、請求項１または２の一項に記載の圧電セラミック材料。
【請求項４】
０．００１＜ｋ≦０．２および０＜ｌ≦０．１７９であることを特徴とする、請求項１〜３の少なくとも一項に記載の圧電セラミック材料。
【請求項５】
０．００１＜ｋ≦０．１であることを特徴とする、請求項１〜４の少なくとも一項に記載の圧電セラミック材料。
【請求項６】
０．０２２＜ｌ≦０．０９であることを特徴とする、請求項１〜５の少なくとも一項に記載の圧電セラミック材料。
【請求項７】
０．００１＜ｋ≦０．１および０．０２２＜ｌ≦０．０９であることを特徴とする、請求項１〜６の少なくとも一項に記載の圧電セラミック材料。
【請求項８】
ｋ：ｌの比率は１：０．９〜１：０．３の範囲にあることを特徴とする、請求項１〜７の少なくとも一項に記載の圧電セラミック材料。
【請求項９】
ｋ重量％のＰｂ、ｌ重量％のＮｂ、およびｎ重量％のＭｎの混合物の添加を特徴とし、ｎ：ｌの比率は０．０５〜０．１５：０．３０の範囲にある、請求項１〜８の少なくとも一項に記載の圧電セラミック材料。
【請求項１０】
ｋ：ｎ：ｌの比率は１：０．０９：０．３０であることを特徴とする、請求項９に記載の圧電セラミック材料。
【請求項１１】
前記Ｐｂ、Ｎｂ、および任意にＡｇ、および任意にＭｎが、熱的に予備成形され（か焼され）添加され、又は、前記Ｐｂ、Ｎｂ、および任意にＡｇ、および任意にＭｎが、公称化合物（ｎｏｍｉｎａｌ ｃｏｍｐｏｕｎｄ）メタニオブ酸鉛（ＰｂＮｂ２Ｏ６）として添加される、請求項１〜１０の少なくとも一項に記載の圧電セラミック材料。
【請求項１２】
請求項１〜１１のうちの一項に記載の鉛含有量が低減された圧電セラミック材料を製造する方法であって、
・基本組成の原料混合物を製造するステップと、
・基本組成のか焼物を製造するステップと、
・か焼物を微粉砕するステップと、
・スプレー造粒によって粒状物を製造する、または、多層もしくは「同時焼成」プロセス用流延スラリーを製造するステップと、
・標準大気中で焼結することを含む処理をさらに行うステップと
を特徴とし、前記ステップは記載順に行われる、方法。
【請求項１３】
請求項１〜１１のうちの一項に記載の圧電セラミック材料系の圧電セラミック多層アクチュエータ。
【請求項１４】
基本組成
（ＫｘＮａｙＬｉ１−ｘ−ｙ）ａ（ＭｎｕＴａｖＳｂｗＮｂ１−ｕ−ｖ−ｗ）Ｏ３のニオブ酸カリウムナトリウム（ＰＳＮ）系の圧電セラミック材料における、圧電セラミック材料の焼結間隔を増加させるためのＰｂ、Ｎｂ、および任意にＡｇの混合物の使用であって、
式中、０＜ｘ＜１ｙ；０＜ｙ＜１；０＜ｕ＜０．０１；０＜ｖ＜０．３；０≦ｗ＜０．２、および
０．９５＜ａ＜１．０５；ｘ＋ｙ≦１であり、
添加されるＰｂ、ＮｂおよびＡｇの含有量が圧電セラミック材料全体に対して重量パーセントで以下のとおりであるように、ＰｂおよびＮｂの混合物の添加が行われる使用：
ｋ重量％のＰｂ＋ｌ重量％のＮｂ＋ｍ重量％のＡｇ、
式中、０＜ｋ＜０．５：０＜ｌ＜１：０≦ｍ＜１であり、
セラミック材料の必要な特性が材料の燃焼の間に達成される、２つの温度仕様によって境界が決定される範囲は、焼結間隔（sintering interval）であると理解され、以下のように定義される：
ｔａｎδ：≦５０×１０−３
Ｓ３（室温）：＞０．６×１０−３
Ｅｍａｘ：≧２ｋＶ／ｍｍ。
【請求項１５】
０．００１＜ｋ≦０．２および０＜ｌ≦０．１７９であることを特徴とする、請求項１４に記載の使用。
【請求項１６】
０．００１＜ｋ≦０．１および０．０２２＜ｌ≦０．０９であることを特徴とする、請求項１４または１５に記載の使用。
【請求項１７】
ｋ：ｌの比率は１：０．９〜１：０．３の範囲にあることを特徴とする、請求項１５または１６に記載の使用。
【請求項１８】
ｋ重量％のＰｂ、ｌ重量％のＮｂ、およびｎ重量％のＭｎの混合物の添加を特徴とし、ｎ：ｌの比率は０．０５〜０．１５：０．３０の範囲にある、請求項１６または１７に記載の使用。
【請求項１９】
ｋ：ｎ：ｌの比率は１：０．０９：０．３０であることを特徴とする、請求項１８に記載の使用。
【手続補正２】
【補正対象書類名】明細書
【補正対象項目名】００５２
【補正方法】変更
【補正の内容】
【００５２】
焼結間隔（sintering interval）は、セラミックの必要な特性が材料の燃焼の間に達成される、２つの温度仕様によって境界が決定される範囲であると理解する。それらは以下のように定義される：
ｔａｎδ：≦５０×１０−３
Ｓ３（室温）：＞０．６×１０−３
Ｅｍａｘ：≧２ｋＶ／ｍｍ